(57)【特許請求の範囲】
【請求項１】
互いに対向した一対の浴室壁と、
前記一対の浴室壁の間に位置し、平面視で前記一対の浴室壁の対向方向と直交する方向において洗い場と並ぶ浴槽と、
前記浴槽の前記洗い場側に設けられたエプロンとを具備し、
前記浴槽は、
上方に開口した槽状の浴槽本体と、
前記浴槽本体の上縁部から外周側に向かって突出した浴槽フランジとを有し、
前記浴槽フランジは、
前記浴槽フランジの前記洗い場側の一辺を構成する洗い場側フランジ部を含み、
前記エプロンは、
前記浴槽の前記洗い場側に配置された支持部材と、
前記支持部材で支持されたエプロン本体とを備え、
前記エプロン本体は、
前記浴槽本体及び前記支持部材を前記洗い場側から覆う覆部と、
前記覆部の上端部から前記洗い場とは反対側に向かって突出したデッキ部とを有し、
前記デッキ部の前記洗い場とは反対側の端部は、前記洗い場側フランジ部の下方に位置し、前記デッキ部の上面において前記洗い場側フランジ部よりも前記洗い場側に位置する部分は、上方に露出した露出部となり、前記支持部材が前記一対の浴室壁の間に架設されており、
前記支持部材は、
前記一対の浴室壁に固定される一対の壁固定体と、
前記一対の壁固定体同士を連結する上桟とを有し、
前記上桟が前記露出部の下方に位置し、前記上桟によって前記デッキ部が下方から支持されたことを特徴とする浴室構造。
【請求項２】
前記支持部材は、前記一対の浴室壁のうちの少なくとも一方に対して、パッキンを介して固定されたことを特徴とする請求項１に記載の浴室構造。
【請求項３】
前記支持部材は、前記洗い場の床から上方に離れて位置したことを特徴とする請求項１又は請求項２に記載の浴室構造。
【請求項４】
前記覆部の下端部は、前記洗い場とは反対側に向かって突出して前記支持部材の下方に位置した突出部で構成され、この突出部と、この突出部の下方に位置する前記洗い場の床との間に、前記洗い場側に開口したスペースが形成されたことを特徴とする請求項３に記載の浴室構造。
【請求項５】
前記洗い場の床に排水口が設けられ、平面視で前記排水口の少なくとも一部が前記デッキ部と重複したことを特徴とする請求項１〜４のいずれか１項に記載の浴室構造。
【請求項６】
前記露出部は、
前記露出部の幅が前記一対の浴室壁のうちの一方の浴室壁に近い部分ほど大きくなる縮幅部を含み、
前記洗い場側フランジ部の幅と前記縮幅部の幅とを合わせた寸法が、前記縮幅部において最も幅が小さくなる箇所において、最も小さくなったことを特徴とする請求項１〜５のいずれか１項に記載の浴室構造。
【請求項７】
前記エプロン本体は、分割された複数のエプロン体で構成され、前記複数のエプロン体のうちの少なくとも１つのエプロン体は、前記エプロン体の縁部と前記支持部材との間にパッキンを挟み込んだ状態で前記支持部材に取り付けられたことを特徴とする請求項１〜６のいずれか１項に記載の浴室構造。
【請求項８】
前記エプロン本体は、
前記一対の浴室壁の対向方向に並んだ複数のエプロン体を有し、
前記複数のエプロン体のうちの少なくとも１つが、前記支持部材に対して着脱可能に取り付けられたことを特徴とする請求項１〜７のいずれか１項に記載の浴室構造。
【請求項９】
浴槽の洗い場側に配置される支持部材と、
前記支持部材で支持されるエプロン本体とを備え、
前記浴槽は、互いに対向した一対の浴室壁の間に位置し、平面視で前記一対の浴室壁の対向方向と直交する方向において前記洗い場と並び、
前記浴槽は、
上方に開口した槽状の浴槽本体と、
前記浴槽本体の上縁部から外周側に向かって突出した浴槽フランジとを有し、
前記浴槽フランジは、
前記浴槽フランジの前記洗い場側の一辺を構成する洗い場側フランジ部を含み、
前記エプロン本体は、
前記浴槽本体及び前記支持部材を前記洗い場側から覆う覆部と、
前記覆部の上端部から前記洗い場とは反対側に向かって突出したデッキ部とを有し、
前記デッキ部の上面において前記洗い場側フランジ部よりも前記洗い場側に位置する部分は、上方に露出する露出部となり、
前記支持部材は前記一対の浴室壁の間に架設可能であり、
前記支持部材は、
前記一対の浴室壁に固定される一対の壁固定体と、
前記一対の壁固定体同士を連結する上桟を有し、
前記上桟が前記露出部の下方に位置し、前記支持部材は前記上桟によって前記デッキ部を下方から支持するように構成されたことを特徴とするエプロン。
【発明の詳細な説明】
【技術分野】
【０００１】
本発明は、浴室構造及びエプロンに関する。
【背景技術】
【０００２】
特許文献１には、浴室のエプロンの取付構造が開示されている。前記エプロンは、浴槽の洗い場側のフランジ部と床パンとの間に設けられて、浴槽の洗い場側の側面を覆う。
【先行技術文献】
【特許文献】
【０００３】
【特許文献１】特開２０１１−６７４４３号公報
【発明の概要】
【発明が解決しようとする課題】
【０００４】
ところで、特許文献１に開示されたエプロンは、例えば利用者がエプロンの上端部に手を掛ける等することで、エプロンの上端部に対して下向きの荷重が加わったときに、この荷重を支持しきれず、変形等するおそれがある。
【０００５】
本発明は前記事情に鑑みてなされたものであって、エプロンの上端部に対して下向きの荷重が加わったときに、エプロンが変形等することを抑制できる浴室構造及びエプロンを提供することを目的とする。
【課題を解決するための手段】
【０００６】
前記目的を達成するために本発明の浴室構造は、互いに対向した一対の浴室壁と、前記一対の浴室壁の間に位置し、平面視で前記一対の浴室壁の対向方向と直交する方向において洗い場と並ぶ浴槽と、前記浴槽の前記洗い場側に設けられたエプロンとを具備し、前記浴槽は、上方に開口した槽状の浴槽本体と、前記浴槽本体の上縁部から外周側に向かって突出した浴槽フランジとを有し、前記浴槽フランジは、前記浴槽フランジの前記洗い場側の一辺を構成する洗い場側フランジ部を含み、前記エプロンは、前記浴槽の前記洗い場側に配置された支持部材と、前記支持部材で支持されたエプロン本体とを備え、前記エプロン本体は、前記浴槽本体及び前記支持部材を前記洗い場側から覆う覆部と、前記覆部の上端部から前記洗い場とは反対側に向かって突出したデッキ部とを有し、前記デッキ部の前記洗い場とは反対側の端部は、前記洗い場側フランジ部の下方に位置し、前記デッキ部の上面において前記洗い場側フランジ部よりも前記洗い場側に位置する部分は、上方に露出した露出部となり、前記支持部材が前記一対の浴室壁の間に架設され、この支持部材によって前記デッキ部が下方から支持されたことを特徴とする。
【０００７】
また、本発明のエプロンは、浴槽の洗い場側に配置される支持部材と、前記支持部材で支持されるエプロン本体とを備え、前記浴槽は、互いに対向した一対の浴室壁の間に位置し、平面視で前記一対の浴室壁の対向方向と直交する方向において前記洗い場と並び、前記浴槽は、上方に開口した槽状の浴槽本体と、前記浴槽本体の上縁部から外周側に向かって突出した浴槽フランジとを有し、前記浴槽フランジは、前記浴槽フランジの前記洗い場側の一辺を構成する洗い場側フランジ部を含み、前記エプロン本体は、前記浴槽本体及び前記支持部材を前記洗い場側から覆う覆部と、前記覆部の上端部から前記洗い場とは反対側に向かって突出したデッキ部とを有し、前記デッキ部の上面において前記洗い場側フランジ部よりも前記洗い場側に位置する部分は、上方に露出する露出部となり、前記支持部材は前記一対の浴室壁の間に架設可能であり、前記支持部材は前記デッキ部を下方から支持するように構成されたことを特徴とする。
【発明の効果】
【０００８】
本発明に係る浴室構造及びエプロンでは、エプロンの上端部に対して下向きの荷重が加わったときに、エプロンが変形等することが抑制される。
【図面の簡単な説明】
【０００９】
【図１】図１は、本発明の実施形態の浴室構造の斜視図である。
【図２】図２は、図３のＡ−Ａ線断面図である。
【図３】図３は、前記浴室構造の平面図である。
【図４】図４は、前記浴室構造においてエプロン本体の図示を省略した斜視図である。
【図５】図５は、前記浴室構造の壁固定体を浴室壁に取り付ける様子を示した斜視図である。
【図６】図６は、前記浴室構造のカウンターの図示を省略した斜視図である。
【図７】図７は、前記浴室構造のエプロンの分解斜視図である。
【図８】図８は、図３のＢ−Ｂ線断面図である。
【図９】図９は、前記浴室構造の小エプロンの表面側から見た斜視図である。
【図１０】図１０は、前記小エプロンの裏面側から見た斜視図である。
【図１１】図１１は、前記浴室構造の大エプロンを取り外した状態を示した斜視図である。
【発明を実施するための形態】
【００１０】
以下、添付図面に基づき本実施形態の浴室構造及びエプロン５について説明する。図１に示された浴室構造は、浴室床１と、複数の浴室壁２１〜２４と、浴室天井３とを具備している。これら浴室床１と、複数の浴室壁２１〜２４と、浴室天井３とにより、浴室が形成されている。
【００１１】
本実施形態の浴室床１は、洗い場床パン１０と浴槽床パン１１とで構成されている。洗い場床パン１０及び浴槽床パン１１は、建物躯体の床上にアジャスターボルト等を介して並べて設置される。
【００１２】
洗い場床パン１０は洗い場の床を構成する。浴槽床パン１１は浴槽４が設置される浴槽設置部を構成する。なお、浴室床１は、洗い場の床を構成する部分と浴槽設置部とが一体に形成された一の床パンで構成されてもよい。
【００１３】
洗い場床パン１０と浴槽床パン１１のそれぞれは、平面視矩形状である。本実施形態の浴室床１の平面視形状は、矩形状である。以下、浴槽４と洗い場の並ぶ方向（図１中矢印Ｄ１で示した方向）を前後方向とし、平面視で浴槽４と洗い場の並ぶ方向と直交する方向（図１中矢印Ｄ２で示した方向）を左右方向として説明する。
【００１４】
図２に示されるように、洗い場床パン１０には、排水口１２が形成されている。本実施形態の排水口１２は、洗い場床パン１０の浴槽４側（浴槽床パン１１側）の端部中央に形成された、下方に凹む凹部で構成されている。排水口１２の底部には、上下方向に貫通する排水孔１３が形成されている。洗い場床パン１０の上の水は、排水口１２に流れ込み、この後、排水孔１３から、排水孔１３に連通する排水管を通じて排出される。
【００１５】
洗い場床パン１０の浴槽４側の端部には、上方に突出した堰部１５が形成されている。堰部１５は、排水口１２よりも浴槽４側に位置している。堰部１５は、洗い場床パン１０の浴槽４側の端部の全長に亘っている。洗い場床パン１０の上の水が浴槽床パン１１に向かって流れたとき、この水は堰部１５によって堰き止められる。
【００１６】
図１に示された浴室構造は、複数の浴室壁２１〜２４として、左右方向に対向した一対の浴室壁２１，２２と、前後方向に対向した他の一対の浴室壁２３，２４とを具備している。以下、必要に応じて、左右方向に対向した一対の浴室壁２１，２２のうちの一方の浴室壁２１を第１浴室壁２１といい、他方の浴室壁２２を第２浴室壁２２という。
【００１７】
洗い場は、洗い場床パン１０と、浴室天井３と、浴室壁２１，２２，２４とで囲まれた空間である。
【００１８】
浴室構造は、さらに浴槽４を具備している。浴槽４は、浴槽床パン１１の上に設置されている。浴槽４は、第１浴室壁２１と第２浴室壁２２との間に位置している。浴槽４は、前後方向（平面視で一対の浴室壁２１，２２の対向方向と直交する方向）において洗い場と並んでいる。
【００１９】
浴槽４は、上方に開口した槽状の浴槽本体４０と、浴槽本体４０の上縁部から外周側に突出した浴槽フランジ４１とを備えている。
【００２０】
図２に示されるように、浴槽本体４０は、底部４２と、底部４２の周縁部から立ち上がった周壁部４３とを有している。周壁部４３は、底部４２の洗い場側の端部から上方に突出した洗い場側浴槽壁４４を含んでいる。
【００２１】
浴槽フランジ４１は、浴槽本体４０の周方向の全長に亘っており、浴槽本体４０と一体に形成されている。浴槽フランジ４１は、浴槽フランジ４１の洗い場側の一辺を構成する洗い場側フランジ部４５を含んでいる。洗い場側フランジ部４５は、洗い場側浴槽壁４４の上端部から洗い場側に向かって突出している。
【００２２】
図３に示されるように、洗い場側フランジ部４５は、左右方向に延びており、一対の浴室壁２１，２２の間に亘っている。洗い場側フランジ部４５（浴槽フランジ４１）は、洗い場側の端縁と浴槽本体４０側の端縁とが、平面視で洗い場側に突となる弧状に湾曲している。
【００２３】
洗い場側フランジ部４５の幅Ｗｆは、洗い場側フランジ部４５の長さ方向における中央部から両端部に近い部分ほど大きくなっている。すなわち洗い場側フランジ部４５の幅Ｗｆは、洗い場側フランジ部４５の長さ方向における中央部が最も短く、洗い場側フランジ部４５の長さ方向における両端部が最も長い。ここで、洗い場側フランジ部４５の幅Ｗｆとは、洗い場側フランジ部４５の前後方向の寸法である。
【００２４】
図２に示されるように、浴室構造はエプロン５をさらに具備している。エプロン５は、洗い場側フランジ部４５と、洗い場床パン１０の浴槽４側の端部との間に位置し、浴槽本体４０を洗い場側から覆う。
【００２５】
エプロン５は、浴槽４の洗い場側に配置された支持部材６と、支持部材６で支持されたエプロン本体８とを備えている。図４に示されるように、支持部材６は一対の浴室壁２１，２２の間に架設されている。支持部材６は、エプロン本体８（図２参照）よりも剛性の高い金属製であって、エプロン５の骨組となる。
【００２６】
本実施形態の支持部材６は、左右方向において支持部材６の両端部に位置した一対の壁固定体６０，６１と、一対の壁固定体６０，６１を連結した連結体６２とを有している。
【００２７】
一対の壁固定体６０，６１のそれぞれは板金製であって、対応する浴室壁２１，２２に沿って配置されている。一対の壁固定体６０，６１は、互いに対向している。各壁固定体６０，６１は、ねじにより対応する浴室壁２１，２２に固定されている。
【００２８】
本実施形態のエプロン５は、各壁固定体６０，６１と対応する浴室壁２１，２２との間に設けられるパッキン５１をさらに備えている。以下、このパッキン５１を第１パッキン５１という。
【００２９】
図５に示されるように、各第１パッキン５１は、対応する浴室壁２１，２２に沿って配置される。各第１パッキン５１は、図４に示されるように、対応する壁固定体６０，６１と浴室壁２１，２２とで挟まれる。これにより、壁固定体６０，６１と浴室壁２１，２２との間は、止水されている。
【００３０】
一対の壁固定体６０，６１を連結する連結体６２は、上桟６３と、下桟６４と、複数の中桟７１〜７３とを含んでいる。
【００３１】
本実施形態の上桟６３と、下桟６４と、複数の中桟７１〜７３とのそれぞれは、板金製である。上桟６３と下桟６４とは、上下方向に離間している。上桟６３と下桟６４とは、左右方向に延びており、平行している。
【００３２】
上桟６３の長さ方向の両端部は、それぞれ、ねじによって一対の壁固定体６０，６１に連結されている。これにより、一対の壁固定体６０，６１の上端部同士は、上桟６３を介して連結されている。
【００３３】
下桟６４の長さ方向の両端部は、それぞれ、ねじによって一対の壁固定体６０，６１に連結されている。これにより、一対の壁固定体６０，６１の下端部同士は、下桟６４を介して連結されている。一対の壁固定体６０，６１と、上桟６３と、下桟６４とにより、前後方向に見て矩形枠状の枠組が構成されている。
【００３４】
連結体６２が有する複数の中桟７１〜７３は、所定の間隔を介して左右方向に並んでいる。各中桟７１〜７３は、上下方向に延びている。複数の中桟７１〜７３は、平行している。各中桟７１〜７３は、上端部がねじにより上桟６３に連結され、下端部がねじにより下桟６４に連結されている。これにより、上桟６３と下桟６４とは、複数の中桟７１〜７３で連結されている。
【００３５】
本実施形態の連結体６２は、複数の中桟７１〜７３として、第１〜第３中桟７１〜７３を有している。第１中桟７１、第２中桟７２、及び第３中桟７３は、この順序で、左右方向に並んでいる。
【００３６】
上桟６３及び下桟６４の第１浴室壁２１側の端部同士は、第１中桟７１によって連結されている。上桟６３及び下桟６４の長さ方向の中央部同士は、第２中桟７２によって連結されている。上桟６３及び下桟６４の第２浴室壁２２側の端部同士は、第３中桟７３によって連結されている。
【００３７】
第１中桟７１と第２中桟７２との間、及び第２中桟７２と第３中桟７３との間（すなわち、隣り合う中桟の間）には、点検用開口６５が形成されている。また、第１浴室壁２１に固定された壁固定体６０と第１中桟７１との間、及び第２浴室壁２２に固定された壁固定体６１と第３中桟７３との間のそれぞれにも、点検用開口６５が形成されている。
【００３８】
図６に示されるように、支持部材６には、エプロン本体８が取り付けられている。エプロン本体８は、浴槽本体４０と支持部材６とを洗い場側から覆っている。
【００３９】
本実施形態のエプロン本体８は、分割された複数のエプロン体８０〜８３で構成されている。各エプロン体８０〜８３は、合成樹脂製であり、詳しくは人工大理石である。
【００４０】
本実施形態のエプロン本体８は、図７に示されるように、複数のエプロン体８０〜８３として、上エプロン体８０と、下エプロン体８１と、小エプロン体８２と、大エプロン体８３とを有している。
【００４１】
図８に示されるように、上エプロン体８０はエプロン本体８の上端部を構成している。上エプロン体８０は、上面を構成するデッキ部８４と、洗い場側の側面を構成する上カバー部８５とで構成されている。
【００４２】
デッキ部８４は、厚み方向が上下方向と平行で長さ方向が左右方向と平行な板状に形成されている。デッキ部８４の浴槽４側の端部は、洗い場側フランジ部４５の下方に位置している。デッキ部８４と洗い場側フランジ部４５の間は、シーリング材４６によって止水される。
【００４３】
上カバー部８５は、厚み方向が前後方向と平行で長さ方向が左右方向と平行な板状に形成されている。上カバー部８５は、デッキ部８４の洗い場側の端部から下方に向かって突出している。
【００４４】
本実施形態のエプロン本体８は、図２に示されるように、上エプロン体８０の内面に固定された固定部材８６をさらに有している。固定部材８６は、デッキ部８４の下面に固定された第１木質板９１と、上カバー部８５の浴槽４側（洗い場とは反対側）の面に固定された第２木質板９２とで構成されている。第１木質板９１と第２木質板９２は、例えば接着剤等を用いて上エプロン体８０に固定される。
【００４５】
第１木質板９１と第２木質板９２とは、上桟６３にねじ止めされている。これにより、上エプロン体８０は、固定部材８６を介して上桟６３に取り付けられている。なお、上エプロン体８０は、ねじ等により、支持部材６に直接固定されてもよい。
【００４６】
上エプロン体８０のデッキ部８４は、第１木質板９１を介して上桟６３の上方に位置している。デッキ部８４は、上桟６３によって第１木質板９１を介して下方から支持されている。
【００４７】
デッキ部８４の上面において、洗い場側フランジ部４５よりも洗い場側に位置する部分は、上方に露出した露出部８７となっている。図３に示されるように、露出部８７は、左右方向に延びており、一対の浴室壁２１，２２の間に亘っている。
【００４８】
このような露出部８７を設けることで、在来風呂のような重厚感を得ることができる。すなわち、浴槽が囲い壁内に設置された在来風呂では、囲い壁の上面が広い面積を占めたデッキとなり、重厚感が得られやすい。本実施形態の浴室構造では、露出部８７が在来風呂の囲い壁の上面を想起させ、在来風呂のような重厚感を有する。
【００４９】
本実施形態の露出部８７は、露出部８７の幅Ｗｄが一対の浴室壁２１，２２のうちの一方の浴室壁２１（又は浴室壁２２）に近い部分ほど大きくなる縮幅部８８を含んでいる。ここで、露出部８７の幅Ｗｄとは、露出部８７の前後方向の寸法である。
【００５０】
具体的に露出部８７は、長さ方向（左右方向）の中央部の幅Ｗｄが最も小さく、長さ方向の両端部の幅Ｗｄが最も大きい。すなわち、本実施形態では、露出部８７の長さ方向の中央部から第１浴室壁２１側の端部までの部分、及び露出部８７の長さ方向の中央部から第２浴室壁２２側の端部までの部分のそれぞれが縮幅部８８となっている。
【００５１】
洗い場側フランジ部４５の幅Ｗｆと、露出部８７の幅Ｗｄとを合わせた寸法Ｗｔ（Ｗｔ＝Ｗｆ＋Ｗｄ）は、露出部８７の長さ方向の中央部（縮幅部８８において最も幅Ｗｄが小さくなる箇所）に対応する箇所において最も小さくなる。このため、浴室の利用者は、洗い場側フランジ部４５の長さ方向の中央部及び露出部８７の長さ方向の中央部を容易に跨ぐことができ、洗い場と浴槽４との間を容易に移動できる。また、露出部８７において最も幅Ｗｄが大きくなる長さ方向の両端部により、重厚感が得られる。
【００５２】
図２に示されるように、下エプロン体８１は、エプロン本体８の下端部を構成している。下エプロン体８１は、上固定部９３、傾斜部９４、及び下固定部９５で構成されている。
【００５３】
上固定部９３は、傾斜部９４の上端部から上方に向かって突出している。上固定部９３は、下エプロン体８１の上端部を構成している。上固定部９３は、ねじによって下桟６４に固定されている。
【００５４】
傾斜部９４は、上固定部９３の下端部から浴槽４側に向かって突出している。傾斜部９４は、浴槽４側に向かって下り傾斜した板状である。傾斜部９４は、洗い場床パン１０の浴槽４側の端部の上方に位置している。傾斜部９４は、平面視で、排水口１２の一部と重複している。
【００５５】
下固定部９５は、傾斜部９４の下端部から浴槽４側に向かって突出している。下固定部９５は、下エプロン体８１の下端部を構成している。下固定部９５は、ねじにより堰部１５に固定されている。なお、下固定部９５と堰部１５の間は、シーリング材等で止水される。
【００５６】
図６に示されるように、上エプロン体８０と下エプロン体８１との間には、小エプロン体８２と大エプロン体８３とが、左右方向に並べて設けられている。小エプロン体８２と大エプロン体８３とで、エプロン本体８の上下方向の中間部が構成されている。
【００５７】
小エプロン体８２は、上エプロン体８０の第１浴室壁２１側の端部と、下エプロン体８１の第１浴室壁２１側の端部の間を覆っている。図８に示されるように、小エプロン体８２は、下カバー部９６と、掛止部９７と、連結部９８とで構成されている。下カバー部９６は、厚み方向が前後方向と平行な矩形板状である。
【００５８】
掛止部９７は、下カバー部９６の上端部から上方に突出している。掛止部９７は、上カバー部８５の下端部の浴槽４側の面に掛け止められている。連結部９８は、下カバー部９６の下端部から浴槽４側に向かって突出し、下桟６４の下方に位置している。連結部９８は、ねじによって下桟６４に連結されている。
【００５９】
図８に示されるように、本実施形態のエプロン５は、小エプロン体８２と上エプロン体８０との間に設けられるパッキン５２をさらに備えている。以下、このパッキン５２を第２パッキン５２という。
【００６０】
図９に示されるように第２パッキン５２は、小エプロン体８２の上縁部（掛止部９７）に取り付けられる。第２パッキン５２は、図８に示されるように、小エプロン体８２の上縁部（掛止部９７）と上エプロン体８０（上カバー部８５）の下縁部とで挟まれる。これにより、小エプロン体８２と上エプロン体８０との間は、止水されている。
【００６１】
本実施形態のエプロン５は、小エプロン体８２の左右方向における両側の縁部と、支持部材６との間に設けられる一対のパッキン５３をさらに備えている。以下、これら一対のパッキン５３のそれぞれを第３パッキン５３という。
【００６２】
図１０に示されるように、一対の第３パッキン５３は、小エプロン体８２の左右方向における両側の縁部にそれぞれ取り付けられる。これら一対の第３パッキン５３のうちの一方は、小エプロン体８２の第１浴室壁２１側の縁部と第１浴室壁２１側の壁固定体６０との間に挟まれる（図８参照）。また、他方の第３パッキン５３は、図１１に示されるように、小エプロン体８２の左右方向における第１浴室壁２１とは反対側の縁部と、第１中桟７１との間に挟まれる。これにより、小エプロン体８２の左右方向における両側の縁部と支持部材６との間が止水される。
【００６３】
図８に示されるように、本実施形態のエプロン５は、小エプロン体８２と下エプロン体８１との間に設けられるパッキン５４をさらに備えている。以下、このパッキン５４を第４パッキン５４という。
【００６４】
図１０に示されるように、第４パッキン５４は、小エプロン体８２の下縁部（連結部９８）に取り付けられている。図８に示されるように、第４パッキン５４は、小エプロン体８２の下縁部（連結部９８）と下エプロン体８１の上縁部（上固定部９３）との間に挟まれる。これにより、小エプロン体８２と下エプロン体８１との間が止水される。
【００６５】
図６に示されるように、大エプロン体８３は、上エプロン体８０と下エプロン体８１との間において、小エプロン体８２によって覆われていない部分の全てを覆っている。
【００６６】
大エプロン体８３と小エプロン体８２は、左右方向に直交した断面形状が同一である。大エプロン体８３の基本的な構成は、小エプロン体８２と同じである。このため、大エプロン体８３において小エプロン体８２と同じ構成については、同一の符号を付して説明を省略する。
【００６７】
大エプロン体８３は、小エプロン体８２と比較して、左右方向の寸法が大きい。図２に示されるように、大エプロン体８３の掛止部９７は、上カバー部８５の下端部の浴槽４側の面に掛け止められている。大エプロン体８３の連結部９８は、ねじによって下桟６４に連結されている。
【００６８】
詳細な説明は省略するが、大エプロン体８３にも、小エプロン体８２と同様に、第２〜第４パッキン５２〜５４と同様のパッキンが取り付けられる。すなわち、大エプロン体８３と上エプロン体８０との間は、第２パッキン５２と同様のパッキンにより止水される。また、大エプロン体８３の小エプロン体８２側の縁部と第２中桟７２との間、並びに、大エプロン体８３の第２浴室壁２２側の縁部と第３中桟７３との間のそれぞれは、第３パッキン５３と同様のパッキンにより止水される。また、大エプロン体８３と下エプロン体８１との間は、第４パッキン５４と同様のパッキンにより止水される。
【００６９】
図１に示されるように、本実施形態の浴室構造は、洗い場の第１浴室壁２１側の端部に設けられたカウンター２５をさらに備えている。カウンター２５は、第１浴室壁２１に取り付けられている。
【００７０】
カウンター２５は、前後方向に延びている。カウンター２５は、エプロン５と洗い場を介して対向した浴室壁２４と、エプロン５との間に亘っている。上カバー部８５の第１浴室壁２１側の端部と、小エプロン体８２の下カバー部９６の一部は、洗い場側からカウンター２５によって覆われている。
【００７１】
大エプロン体８３は、図１１に示されるように、他のエプロン体８０〜８２を支持部材６に取り付けたまま、支持部材６から取り外すことができる。大エプロン体８３を支持部材６から取り外すには、連結部９８を下桟６４に連結するためのねじ３５（図２参照）を取り外し、掛止部９７を上エプロン体８０から外せばよい。
【００７２】
小エプロン体８２も、カウンター２５を浴室壁２４から取り外すことで、大エプロン体８３と同様に支持部材６から取り外すことができる。
【００７３】
すなわち、本実施形態の大エプロン体８３及び小エプロン体８２のそれぞれは、支持部材６に対して着脱可能に取り付けられている。このように大エプロン体８３及び小エプロン体８２を支持部材６から取り外すことで、支持部材６の対応する点検用開口６５を介して支持部材６の浴槽４側を保守・点検することが可能になる。
【００７４】
図２に示されるように、エプロン本体８は、浴槽本体４０と支持部材６とを洗い場側から覆う覆部８９を備えている。本実施形態の覆部８９は、エプロン本体８のデッキ部８４よりも下方に位置する部分で構成されている。すなわち、覆部８９は、上エプロン体８０の上カバー部８５と、小エプロン体８２（図６参照）と、大エプロン体８３と、下エプロン体８１とで構成されている。
【００７５】
デッキ部８４は、覆部８９の上端部から浴槽４側に向かって突出している。本実施形態では、図３に示されるように、平面視において、排水口１２の一部がデッキ部８４と重複している。このため、洗い場に居る人からは、排水口１２の一部がエプロン本体８に隠れて見え難くなり、意匠性が高まる。
【００７６】
図２に示されるように、本実施形態の覆部８９の下端部は、浴槽４側に向かって突出して支持部材６の下方に位置する突出部９０で構成されている。本実施形態の突出部９０は、小エプロン体８２（図８参照）及び大エプロン体８３のそれぞれの連結部９８と、下エプロン体８１とで構成されている。
【００７７】
突出部９０は、洗い場床パン１０の浴槽４側の端部の上方に位置している。突出部９０と洗い場床パン１０との間には、洗い場側に開口したスペース１６が左右方向に亘って形成されている。このため、洗い場に居る人の足が、エプロン本体８に接触し難くなり、洗い場を利用しやすくなる。
【００７８】
また、本実施形態の突出部９０は、浴槽４側に向かって下り傾斜した傾斜部９４を有している。このため、排水口１２を掃除するときに、傾斜部９４が邪魔になりにくい。例えば傾斜部９４に相当する部分が、下固定部９５から洗い場側に向かって水平に突出していると、排水口１２を掃除したりするときに、傾斜部９４に相当する部分が邪魔になりやすい。しかし、本実施形態では、傾斜部９４が浴槽４側に向かって下り傾斜しているので、このような事態が生じ難い。
【００７９】
以上説明した本実施形態の浴室構造は、以下の構成を有する。浴室構造は、一対の浴室壁２１，２２と、浴槽４と、エプロン５とを具備する。一対の浴室壁２１，２２は、互いに対向する。浴槽４は、一対の浴室壁２１，２２の間に位置し、平面視で一対の浴室壁２１，２２の対向方向と直交する方向において洗い場と並ぶ。エプロン５は、浴槽４の洗い場側に設けられる。浴槽４は、浴槽本体４０と浴槽フランジ４１とを有する。浴槽本体４０は、上方に開口した槽状である。浴槽フランジ４１は、浴槽本体４０の上縁部から外周側に向かって突出する。浴槽フランジ４１は、浴槽フランジ４１の洗い場側の一辺を構成する洗い場側フランジ部４５を含む。エプロン５は、支持部材６とエプロン本体８とを備える。支持部材６は、浴槽４の洗い場側に配置される。エプロン本体８は、支持部材６で支持される。エプロン本体８は、覆部８９とデッキ部８４とを有する。覆部８９は、浴槽本体４０及び支持部材６を洗い場側から覆う。デッキ部８４は、覆部８９の上端部から洗い場とは反対側に向かって突出する。デッキ部８４の洗い場とは反対側の端部は、洗い場側フランジ部４５の下方に位置する。デッキ部８４の上面において洗い場側フランジ部４５よりも洗い場側に位置する部分は、上方に露出した露出部８７となる。支持部材６が一対の浴室壁２１，２２の間に架設される。支持部材６によってデッキ部８４が下方から支持される。
【００８０】
この構成を有する浴室構造では、一対の浴室壁２１，２２の間に亘り、かつ一対の浴室壁２１，２２の間に架設されることで強固に固定された支持部材６によって、エプロン本体８のデッキ部８４が支持される。このため、例えば利用者が、デッキ部８４の上面における露出部８７に手を掛ける等することで、デッキ部８４に下向きの荷重が加わったときに、エプロン本体８が変形等することが抑制される。
【００８１】
また、浴槽４が囲い壁内に設置された在来風呂では、囲い壁の上面が広い面積を占めたデッキとなり、重厚感が得られやすい。本実施形態の浴室構造において、在来風呂のような重厚感を得るには、デッキ部８４の上面において露出する露出部８７の面積を大きくする必要があるが、露出部８７の面積を大きくすると、デッキ部８４が重くなる。特にデッキ部８４が人工大理石等の重い材料から形成された場合には、デッキ部８４の重みによりエプロン本体８が変形等する可能性がある。ここで、本実施形態では、デッキ部８４が一対の浴室壁２１，２２の間に架設された支持部材６によってしっかりと支持される。このため、露出部８７の面積を大きくしてより一層の重厚感を得ながら、エプロン本体８の変形等を抑制できる。
【００８２】
なお、本実施形態では、各エプロン体８０〜８３が人工大理石であるが、例えば、上エプロン８０のみが人工大理石であってもよい。また、各エプロン体８０〜８３は、人工大理石以外の合成樹脂材料から形成されてもよい。また、各エプロン体８０〜８３は、合成樹脂製に限られない。
【００８３】
また、本実施形態の浴室構造は、以下の付加的な構成を有する。支持部材６は、一対の浴室壁２１，２２のうちの少なくとも一方に対して、パッキン５１（第１パッキン５１）を介して固定される。
【００８４】
この構成を有する浴室構造では、支持部材６と浴室壁２１，２２との間がパッキンによって止水される。このため、洗い場側から浴槽４側に水が入り込むことを抑制できる。本実施形態の支持部材６は、一対の浴室壁２１，２２のそれぞれに対してパッキン５１を介して固定されている。しかし、支持部材６は、一対の浴室壁２１，２２のうちの一方に対してパッキン５１を介して固定され、他方に対してパッキン５１を介さずに固定されてもよい。
【００８５】
また、本実施形態の浴室構造は、以下の付加的な構成を有する。支持部材６は、洗い場の床から上方に離れて位置する。
【００８６】
この構成を有する浴室構造では、洗い場の床の上の水が支持部材６に接触しにくくなる。このため、支持部材６が水によって腐食し難くなる。なお、本実施形態の支持部材６は、洗い場の床から上方に離れて位置しているが、洗い場の床と接していていもよい。
【００８７】
また、本実施形態の浴室構造は、以下の付加的な構成を有する。覆部８９の下端部は、洗い場とは反対側に向かって突出して支持部材６の下方に位置した突出部９０で構成される。突出部９０と、突出部９０の下方に位置する洗い場の床との間に、洗い場側に開口したスペース１６が形成される。
【００８８】
この構成を有する浴室構造では、洗い場に居る人の足が、エプロン本体８に接触し難くなり、洗い場を利用しやすくなる。
【００８９】
また、本実施形態の浴室構造は、以下の付加的な構成を有する。洗い場の床に排水口１２が設けられ、平面視で排水口１２の少なくとも一部がデッキ部８４と重複する。
【００９０】
この構成を有する浴室構造では、洗い場に居る人から、排水口１２の一部がデッキ部８４に隠れて見え難くなるため、意匠性が高まる。なお、本実施形態では、平面視で排水口１２の一部がデッキ部８４と重複しているが、排水口１２の前部がデッキ部８４と重複してもよい。
【００９１】
また、本実施形態の浴室構造は、以下の付加的な構成を有する。露出部８７は、露出部８７の幅が一対の浴室壁２１，２２のうちの一方の浴室壁２１（又は浴室壁２２）に近い部分ほど大きくなる縮幅部８８を含む。洗い場側フランジ部４５の幅と縮幅部８８の幅とを合わせた寸法が、縮幅部８８において最も幅が小さくなる箇所において、最も小さくなる。
【００９２】
この構成を有する浴室構造においては、浴室の利用者は、縮幅部８８において最も幅が小さくなる箇所の上を跨いで、洗い場と浴槽４との間を容易に移動できる。また、縮幅部８８において最も幅が大きくなる部分で、重厚感を得ることができる。
【００９３】
なお、露出部８７は、その長さ方向における全体に亘って、第１浴室壁２１又は第２浴室壁２２に近い部分ほど大きくなるように形成されてもよい。
【００９４】
また、本実施形態の浴室構造は、以下の付加的な構成を有する。エプロン本体８は、分割された複数のエプロン体８０〜８３で構成される。複数のエプロン体８０〜８３のうちの少なくとも１つのエプロン体８２，８３（小エプロン体８２及び大エプロン体８３）は、エプロン体８２，８３の縁部と支持部材６との間にパッキン５３（第３パッキン５３）を挟み込んだ状態で支持部材６に取り付けられる。
【００９５】
この構成を有する浴室構造では、パッキン５３により、エプロン体８２，８３の縁部と支持部材６との間が止水される。このため、洗い場側から浴槽４側に水が入り込むことを抑制できる。
【００９６】
なお、本実施形態では、小エプロン体８２の縁部と支持部材６との間、及び大エプロン体８３の縁部と支持部材６との間のそれぞれがパッキン５３により止水されているが、小エプロン体８２の縁部と支持部材６との間のみがパッキン５３により止水されてもよい。また、大エプロン体８３の縁部と支持部材６との間のそれぞれがパッキンにより止水されてもよい。また、上エプロン体８０の縁部と支持部材６との間、および下エプロン体８１と支持部材６との間もパッキンにより止水されてもよい。
【００９７】
また、本実施形態の浴室構造は、以下の付加的な構成を有する。エプロン本体８は、複数のエプロン体８０〜８３を有する。複数のエプロン体８０〜８３のうちの少なくとも１つ８２，８３（本実施形態では、小エプロン体８２及び大エプロン体８３）が、支持部材６に対して着脱可能に取り付けられる。
【００９８】
この構成を有する浴室構造では、エプロン本体８が複数のエプロン体８０〜８３を有するため、エプロン本体８が一部材で構成された場合と比較して、エプロン本体８の運搬が容易になる。また、支持部材６に対して着脱可能に取り付けられたエプロン体８２，８３を取り外して、洗い場から浴槽４側を保守・点検等することができる。
【００９９】
また、本実施形態のエプロン５は、以下の構成を有している。支持部材６と、エプロン本体８とを備える。支持部材６は、浴槽４の洗い場側に配置される。エプロン本体８は、支持部材６で支持される。浴槽４は、互いに対向した一対の浴室壁２１，２２の間に位置し、平面視で一対の浴室壁２１，２２の対向方向と直交する方向において洗い場と並ぶ。浴槽４は、浴槽本体４０と、浴槽フランジ４１とを有する。浴槽本体４０は、上方に開口した槽状である。浴槽フランジ４１は、浴槽本体４０の上縁部から外周側に向かって突出する。浴槽フランジ４１は、浴槽フランジ４１の洗い場側の一辺を構成する洗い場側フランジ部４５を含む。エプロン本体８は、覆部８９と、デッキ部８４とを有する。覆部８９は、浴槽本体４０及び支持部材６を洗い場側から覆う。デッキ部８４は、覆部８９の上端部から洗い場とは反対側に向かって突出する。デッキ部８４の上面において洗い場側フランジ部４５よりも洗い場側に位置する部分は、上方に露出する露出部８７となる。支持部材６は一対の浴室壁２１，２２の間に架設可能である。支持部材６はデッキ部８４を下方から支持するように構成される。
【０１００】
この構成を有するエプロン５は、一対の浴室壁２１，２２の間に亘り、かつ一対の浴室壁２１，２２の間に架設されることで強固に固定された支持部材６によって、エプロン本体８のデッキ部８４が支持される。このため、デッキ部８４に下向きの荷重が加わったときに、エプロン本体８が変形等することが抑制される。
【０１０１】
なお、本実施形態の浴室構造及びエプロン５は、発明の趣旨を逸脱しない範囲で適宜設計変更可能である。
【符号の説明】
【０１０２】
１０  洗い場床パン（洗い場の床）
１２  排水口
１６  スペース
２１  第１浴室壁
２２  第２浴室壁
４  浴槽
４０  浴槽本体
４１  浴槽フランジ
４４  洗い場側浴槽壁
４５  洗い場側フランジ部
５  エプロン
５１  第１パッキン
５３  第３パッキン
６  支持部材  
８  エプロン本体
８０  上エプロン体
８１  下エプロン体
８２  小エプロン体
８３  大エプロン体
８４  デッキ部
８７  露出部
８８  縮幅部
９０  突出部
【図１】
0006722880.tif 000002
【図２】
0006722880.tif 000003
【図３】
0006722880.tif 000004
【図４】
0006722880.tif 000005
【図５】
0006722880.tif 000006
【図６】
0006722880.tif 000007
【図７】
0006722880.tif 000008
【図８】
0006722880.tif 000009
【図９】
0006722880.tif 000010
【図１０】
0006722880.tif 000011
【図１１】
0006722880.tif 000012